(57)【要約】【課題】本実施形態は、ユーザに対して、光ディスクの挿入位置がわかりやすく、光ディスクに傷をつける可能性を低減することができる映像再生装置を提供することを目的とする。【解決手段】本実施形態の映像再生装置は、映像信号を表示可能なディスプレイと、光ディスクが挿入される挿入口を有するとともに、挿入口から挿入された光ディスクから映像信号を再生させる再生手段とを備えるとともに、ディスプレイ及び前記再生手段を同一筐体内に備えた映像再生装置であって、再生手段に対する動作指示に基づいて、挿入口の位置及び挿入口に挿入する光ディスクを示す画像を、ディスプレイに表示させるように構成したことを特徴とする。【選択図】  図２
2012089218.tif 000002
【特許請求の範囲】
【請求項１】
映像信号を表示可能なディスプレイと、
光ディスクが挿入される挿入口を有するとともに、前記挿入口から挿入された前記光ディスクから映像信号を再生させる再生手段と
を備えるとともに、前記ディスプレイ及び前記再生手段を同一筐体内に備えた映像再生装置であって、
前記再生手段に対する動作指示に基づいて、前記挿入口の位置及び前記挿入口に挿入する前記光ディスクを示す画像を、前記ディスプレイに表示させるように構成したことを特徴とする映像再生装置。
【請求項２】
前記挿入口の位置及び前記挿入口に挿入する前記光ディスクを示す画像は、前記ディスプレイの一部に表示させることを特徴とする請求項１記載の映像再生装置。
【請求項３】
前記挿入口の位置及び前記挿入口に挿入する前記光ディスクを示す画像は、前記ディスプレイの長手方向に、前記挿入口と略平行な位置に表示させることを特徴とする請求項１記載の映像再生装置。
【請求項４】
前記挿入口の位置及び前記挿入口に挿入する前記光ディスクを示す画像は、前記光ディスクと略同じ大きさで表示させることを特徴とする請求項１記載の映像再生装置。
【請求項５】
前記挿入口の位置及び前記挿入口に挿入する前記光ディスクを示す画像は、前記ディスプレイに表示されている前記映像信号を透過表示させることを特徴とする請求項１記載の映像再生装置。
【請求項６】
前記挿入口の近傍に、カメラを備え、
前記挿入口の位置及び前記挿入口に挿入する前記光ディスクを示す画像は、前記カメラからの画像を表示させることを特徴とする請求項１記載の映像再生装置。
【請求項７】
映像信号を表示可能なディスプレイと、
光ディスクが挿入される挿入口を有するとともに、前記挿入口から挿入された前記光ディスクから映像信号を再生させる再生手段と
を備えるとともに、前記ディスプレイ及び前記再生手段を同一筐体内に備えた映像再生装置であって、
前記挿入口に近づく物体の有無を検出する検出手段を備え、
前記検出手段の検出結果に基づいて、前記挿入口周辺の画像を、前記ディスプレイに表示させるように構成したことを特徴とする映像再生装置。
【請求項８】
前記挿入口周辺の画像は、前記ディスプレイの一部に表示させることを特徴とする請求項７記載の映像再生装置。
【請求項９】
前記挿入口周辺の画像は、前記ディスプレイの長手方向に、前記挿入口と略平行な位置に表示させることを特徴とする請求項７記載の映像再生装置。
【請求項１０】
前記挿入口周辺の画像は、前記光ディスクと略同じ大きさで表示させることを特徴とする請求項７記載の映像再生装置。
【請求項１１】
前記挿入口周辺の画像は、前記ディスプレイに表示されている前記映像信号を透過表示させることを特徴とする請求項１記載の映像再生装置。
【発明の詳細な説明】
【技術分野】
【０００１】
本実施形態は、ディスプレイ(例えば、LCD(Liquid Crystal Display)(液晶ディスプレイ))装置にDVDディスク若しくはBDディスクなどの光ディスク再生機能を持たせた映像再生装置に関する。
【背景技術】
【０００２】
表示画面に近接する位置に、外部接続端子(USBポート)を設けるとともに、表示画面に、外部接続端子の相対位置を視覚的に示す画像として矢印を表示させる装置が知られている(特許文献１)。
【０００３】
しかしながら、該装置では、USBポートの近くの表示画面に、USBポートという文字と矢印を表示するのみのため、USBコネクタの差し込む位置は大まかにわかるものの、光ディスクをユーザが挿入する場合を想定すると、挿入しようとしている光ディスクが、USBコネクタと比較して格段に傷などに弱いということを知らないユーザがていねいな扱いをせずに、光ディスクに傷をつけてしまう恐れがあるという問題点があった。
【先行技術文献】
【特許文献】
【０００４】
【特許文献１】特開2010-107587号公報
【発明の概要】
【発明が解決しようとする課題】
【０００５】
従来の装置は、挿入するポートの種類(USBポート)と挿入位置を矢印表示するのみで、光ディスクの扱いに慣れていないユーザにはわかりづらく、傷などに弱い光ディスクの挿入を想定すると、光ディスクに傷をつけてしまう恐れがあるという問題点があった。
【０００６】
本実施形態は、ユーザに対して、光ディスクの挿入位置がわかりやすく、光ディスクに傷をつける可能性を低減することができる映像再生装置を提供することを目的とする。
【課題を解決するための手段】
【０００７】
上記目的を達成するために、本実施形態の映像再生装置は、映像信号を表示可能なディスプレイと、
光ディスクが挿入される挿入口を有するとともに、前記挿入口から挿入された前記光ディスクから映像信号を再生させる再生手段と
を備えるとともに、前記ディスプレイ及び前記再生手段を同一筐体内に備えた映像再生装置であって、
前記再生手段に対する動作指示に基づいて、前記挿入口の位置及び前記挿入口に挿入する前記光ディスクを示す画像を、前記ディスプレイに表示させるように構成したことを特徴とする。
【０００８】
そして、本実施形態によれば、ユーザに対して、イラストと挿入位置を示すことにより、光ディスクの挿入がわかりやすく、光ディスクに傷をつける可能性を低減することができる。
【０００９】
また、前記挿入口の位置及び前記挿入口に挿入する前記光ディスクを示す画像は、前記ディスプレイの一部に表示させることを特徴とする。
また、前記挿入口の位置及び前記挿入口に挿入する前記光ディスクを示す画像は、前記ディスプレイの長手方向に、前記挿入口と略平行な位置に表示させることを特徴とする。
【００１０】
そして、ユーザは、映像再生装置への光ディスクの挿入口の位置がわかりやすい。
また、前記挿入口の位置及び前記挿入口に挿入する前記光ディスクを示す画像は、前記光ディスクと略同じ大きさで表示させることを特徴とする。
そして、ユーザは、映像再生装置への光ディスクの挿入口の位置と、光ディスクとの相対位置の関係を把握しやすい。
また、前記挿入口の位置及び前記挿入口に挿入する前記光ディスクを示す画像は、前記ディスプレイに表示されている前記映像信号を透過表示させることを特徴とする。
【００１１】
また、前記挿入口の近傍に、カメラを備え、
前記挿入口の位置及び前記挿入口に挿入する前記光ディスクを示す画像は、前記カメラからの画像を表示させることを特徴とする。
この他、本発明の映像再生装置は、映像信号を表示可能なディスプレイと、
光ディスクが挿入される挿入口を有するとともに、前記挿入口から挿入された前記光ディスクから映像信号を再生させる再生手段と
を備えるとともに、前記ディスプレイ及び前記再生手段を同一筐体内に備えた映像再生装置であって、
前記挿入口に近づく物体の有無を検出する検出手段を備え、
前記検出手段の検出結果に基づいて、前記挿入口周辺の画像を、前記ディスプレイに表示させるように構成したことを特徴とする。
また、前記挿入口周辺の画像は、前記ディスプレイの一部に表示させることを特徴とする。
また、前記挿入口周辺の画像は、前記ディスプレイの長手方向に、前記挿入口と略平行な位置に表示させることを特徴とする。
そして、ユーザは、映像再生装置への光ディスクの挿入口の位置がわかりやすい。
また、前記挿入口周辺の画像は、前記光ディスクと略同じ大きさで表示させることを特徴とする。
そして、ユーザは、映像再生装置への光ディスクの挿入口の位置と、光ディスクとの相対位置の関係を把握しやすい。
また、前記挿入口周辺の画像は、前記ディスプレイに表示されている前記映像信号を透過表示させることを特徴とする。
【図面の簡単な説明】
【００１２】
【図１】一実施の形態による映像再生装置の概略外観図。
【図２】同実施の形態にかかわる映像再生装置のディスク挿入画面が表示された概略構成図。
【図３】同実施の形態にかかわる映像再生装置のブロック図。
【図４】同実施の形態にかかわる映像再生装置におけるディスク挿入画面表示の第1の処理のフローチャート。
【図５】同実施の形態にかかわる映像再生装置における別の概観図の一部及び表示例。
【図６】同実施の形態にかかわる映像再生装置におけるディスク挿入画面表示の第2の処理のフローチャート。
【発明を実施するための形態】
【００１３】
以下、図面を参照して本実施の形態を説明する。
図１，図２は、この実施の形態で説明する映像再生装置1000の概略外観図を示している。
なお、映像再生装置としてしては、例えば、LCD(Liquid Crystal Display)(液晶ディスプレイ)にDVDディスク若しくはBDディスクなどの光ディスク再生機能を持たせた映像再生装置(LCDコンボ)1000を想定しているが、もちろん、これに限定されるものではない。
【００１４】
LCDコンボ1000は、画面100と、画面100の下に、画面100含めLCDコンボ1000全体を支持するスタンド900を有する。
LCDコンボ1000は、内部に、後述する光ディスクドライブ520を内蔵し、ユーザが、光ディスクドライブ520にDVDディスクやBDディスクなどの光ディスクを挿入するためのディスク挿入口510を備え、図１，図２の例では、ディスク挿入口510が、LCDコンボ1000の右側面110に形成されている。
【００１５】
図２において、従来のLCDコンボと異なる点は、画面100の一部にディスク挿入画面150を備えていることである。なお、ディスク挿入画面150は、所定のタイミングで、画面100の一部の表示を変更することを想定しているが、画面150とは独立し、常に表示させてもよい。また、ディスク挿入画面150は、画面100の表示の一部を変更させて表示させるが、ディスク挿入画面150を透過表示させ、ディスク挿入画面150下の画面100の映像がユーザに見えるように表示させてもよい。もちろん、ディスク挿入画面150の透過率をユーザに設定可能にさせることもできる。
【００１６】
一般的に、LCDコンボは、図１に示すように、ディスク挿入口510が側面に形成されているため、ユーザは、画面100正面からはディスク挿入口510が直視できず、光ディスク500挿入の際には、毎回LCDコンボの側面に回り込み、ディスク挿入口510を確認する必要があったが、図２のLCDコンボ1000であれば、上記のように、ユーザは、回り込んでディスク挿入口510を確認する必要がなくなり、利便性が増す。
【００１７】
また、上記のように、ディスク挿入口510が直視できないため、ユーザは、光ディスク500を経験や勘に頼ってディスク挿入口510に挿入しようとすることが多かったが、図２のLCDコンボ1000であれば、その必要がなくなる。
【００１８】
図３は、この実施の形態で説明するLCDコンボ1000の概略構成図である。
LCDコンボ1000は、アンテナ800から放送信号(映像信号)をチューナ810で受信し、受信した映像信号を、制御CPU850の指示に基づいて、画面100に表示する。
【００１９】
LCDコンボ1000での映像信号の表示する/しない等の制御は、ユーザのリモートコントロール860の操作に応じた制御信号を、リモートコントロール信号受信部870で受信し、これに基づいて制御CPU850がLCDコンボ1000全体を制御する。
【００２０】
また、ユーザが、光ディスク500を図示しないディスク挿入口510に挿入すると、光ディスクドライブ520が起動するとともに、光ディスクドライブ520からの映像信号を画面100に表示させる。なお、制御CPU850は、光ディスク500の挿入を検知すると、自動的にチューナ810からの映像信号を停止させるとともに、光ディスクドライブ520からの映像信号を画面100に表示させるように制御しているが、リモートコントロール860からの切り替え信号を受信するまでは、そのままチューナ810からの映像信号を画面100に表示させるように制御してもよい。
【００２１】
さらに、図示しないディスク挿入口510の近傍には、カメラレンズ891と、センサ895を備えて、これらからの映像信号及びセンサ出力は、制御CPUに送られる。
【００２２】
図４は、LCDコンボ1000に光ディスク500が挿入された場合の処理のフローチャートである。
図４において、ユーザに対して、画面100に、チューナ810から映像信号(放送波)を表示させることにより、ユーザが放送波を視聴中(ステップS401)に、図示しないLCDコンボ1000付属若しくはリモートコントロール860の図示しないDVDボタン若しくはBDボタンを押下することにより、制御CPU850が、リモートコントロール860からのDVDボタン若しくはBDボタンに応じた信号をリモートコントロール信号受信部870を介して検出する(ステップS402)と、制御CPU850は、図１の画面100(画面100全体に放送波を表示させる)から、図２の画面100に切り替える。これは、画面100の一部に、ディスク挿入画面150(イラスト)を表示させることである(ステップS403)。ディスク挿入画面150には、ユーザに以降の動作がわかりやすいように、LCDコンボ1000右側面にあるディスク挿入口510及び光ディスク500の一部を光ディスクイラスト505を含むイラストで表示させる。なお、ディスク挿入画面150に表示されるディスク挿入口510のイラストは、図２に示すように、ユーザが光ディスク500をLCDコンボ1000のディスク挿入口510にスムーズに入れやすいように、画面100の長手方向に略平行であるとともに、光ディスクイラスト505は、光ディスク500と略同じ大きさで表示させている。
【００２３】
制御CPU850は、光ディスクドライブ520から光ディスクドライブ520に光ディスク500が挿入されたか否かの情報をチェックし(ステップS404)、光ディスク500が挿入された場合には(ステップS404で、Yesの場合)、光ディスクドライブ520を動作させ、挿入された光ディスク500がDVDディスクかBDディスクかのディスク種類判別，光ディスク500内の映像信号の再生等を行わせるとともに(ステップS405)、チューナ810からの映像信号の停止若しくは画面100に表示されないように、出力を停止させる(ステップS406)。
【００２４】
そして、制御CPU850は、光ディスクドライブ520に光ディスク500が挿入されたことから、ユーザがディスク挿入口510に光ディスク500をきちんと挿入でき、光ディスク500からの映像信号を再生できたことから、ディスク挿入画面150を表示させることにより、ユーザへの光ディスク500の挿入のサポートが完了したことから、ディスク挿入画面150の表示(図２)を消し(ステップS407)、画面100(図１)の表示に戻す。
【００２５】
なお、光ディスク500が挿入されなかった場合には(ステップS404で、Noの場合)、ユーザが、図示しないLCDコンボ1000付属若しくはリモートコントロール860の図示しないDVDボタン若しくはBDボタンを押下したものの、光ディスク500(DVDディスクやBDディスク)をLCDコンボ1000に挿入することをやめたものと判断し、図２のディスク挿入画面150を含む画面100を、図１の画面100(画面100全体に放送波を表示させる)にすることで、図２のディスク挿入画面150(イラスト)を消し(ステップS410)、ステップS401に戻す。
【００２６】
図５は、図３に示したカメラレンズ891及びセンサ895と、LCDコンボ1000のディスク挿入口510との位置関係を示した図である。図５(a)に示すように、ディスク挿入口510近傍に、カメラレンズ891及びセンサ895を設けた例である。
【００２７】
これにより、センサ895で、光ディスク500がディスク挿入口510に近づいたか否かを検知することができるとともに、カメラレンズ891で光ディスク500がディスク挿入口510に対してどの位置にあるかを表示させることができる。なお、図５(b)は、ディスク挿入画面150に、ディスク挿入口510と光ディスク500とを表示させた一例である。
【００２８】
図６は、LCDコンボ1000に光ディスク500が挿入された場合の処理のフローチャートでであって、カメラレンズ891及びセンサ895を利用したものである。
【００２９】
なお、図４と同じ動作については、同じ参照番号を付し、説明を省略する。
図６において、ユーザが、放送波を視聴中(ステップS401)に、制御CPU850は、適宜センサ895からの信号をチェックする(ステップS602)。センサ895は、ディスク挿入口510の所定の距離内に、物体(ここでは、ユーザがLCDコンボ1000のディスク挿入口510に挿入しようとしている光ディスク500を想定)が近づくと、信号を出す構成となっている。
【００３０】
制御CPU850は、センサ895からの信号を受け取ると(ステップS602でYesの場合)、カメラレンズ891を起動し、ディスク挿入口510近傍の映像を撮影させるとともに、図１の画面100(画面100全体に放送波を表示させる)から、図２の画面100に切り替え、ディスク挿入画面150に、カメラレンズ891からの映像(例えば、図５(b))を表示させる(ステップS603)。
【００３１】
なお、ステップS404でNoの場合は、ユーザが、光ディスク500をLCDコンボ1000に挿入することをやめたものと判断し、図２のディスク挿入画面150を含む画面100を、図１の画面100(画面100全体に放送波を表示させる)にすることで、図２のディスク挿入画面150(カメラからの映像表示)を消し(ステップS610)、ステップS401に戻す。また、光ディスク500が光ディスクドライブ520に挿入されると、図２のディスク挿入画面150(カメラからの映像表示)を消す(ステップS607)。
【００３２】
なお、ステップS602でNoの場合、図４のステップS402と同様に、制御CPU850が、リモートコントロール860からのDVDボタン若しくはBDボタンに応じた信号をリモートコントロール信号受信部870を介してチェックし(ステップS402)、図示しないLCDコンボ1000付属若しくはリモートコントロール860の図示しないDVDボタン若しくはBDボタンの押下があった場合には(ステップS402でYes)、カメラレンズ891からの映像を表示させる(ステップS603)ようにしてもよい。
【００３３】
これにより、センサ895の誤認識(例えば、ユーザがLCDコンボ1000の裏面を触るために、ディスク挿入口510近傍に手をかざした場合)でカメラレンズ891からの映像を表示させることがなくなる。
【符号の説明】
【００３４】
100  画面
110  右側面
150  ディスク挿入画面
500  光ディスク
505  光ディスクイラスト
510  ディスク挿入口
520  光ディスクドライブ
800  アンテナ
850  制御CPU
860  リモートコントロール
870  リモートコントロール信号受信部
891  カメラレンズ
895  センサ
900  スタンド
1000  映像再生装置(LCDコンボ)
【図１】
2012089218.tif 000003
【図２】
2012089218.tif 000004
【図３】
2012089218.tif 000005
【図４】
2012089218.tif 000006
【図５】
2012089218.tif 000007
【図６】
2012089218.tif 000008